(57)【特許請求の範囲】
【請求項１】
矩形状の天井パネルの三辺を対応する壁パネルの上端部に接続した浴室の壁パネルと天井パネルの接続構造において、天井パネルの前記壁パネル接続側の三辺の側縁部を夫々被載置部とし、各被載置部を対応する壁パネルの上縁から背方に向けて突出した載置片部上にパッキンを介して載置し、天井パネルの前記壁パネル接続側の三辺のうち二辺を構成する被載置部を連結具により対応する壁パネルの載置片部に連結すると共に、天井パネルの壁パネル接続側の三辺のうち他の一辺を構成する側縁に垂設した垂下片部を対応する壁パネルの載置片部の室外側に配置し、該垂下片部の室内側に設けた被係止部を壁パネルの背面の上端部に設けた係止部に室外側から係止することを特徴とする浴室の壁パネルと天井パネルの接続構造。
【発明の詳細な説明】
【技術分野】
【０００１】
本発明は浴室の壁パネルと天井パネルの接続構造に関する。
【背景技術】
【０００２】
図６に示す従来の一般的な浴室の壁パネルと天井パネルの接続構造は、壁パネル１の上縁に設けたＬ字状片部３７に天井パネル２の側縁部を載置し、天井パネル２の側縁から垂下した垂下片部１９を壁パネル１のＬ字状片部３７の縦片部３８の背面に沿わせ、垂下片部１９と縦片部３８を室内側から挿入したねじ具３９により固着するものである。しかし、この接続構造にあっては壁パネル１のＬ字状片部３７の横片部４０と天井パネル２の下面との間に隙間４１が形成される。従って、隙間４１やねじ具３９を隠すために隙間４１に廻し縁３６を設ける必要があり、このような壁パネル１とは別体の廻し縁３６が浴室内に露出すると見栄えが悪く、また施工に手間がかかる。なお、特許文献１には図６に示す接続構造と略同様のものが開示してある。
【０００３】
そこで本発明者は本発明に至る過程において図３に示す接続構造を想起した。即ち、天井パネル２の側縁部を被載置部１５とし、該被載置部１５を壁パネル１の上縁から背方に向けて突出した載置片部５上にパッキン１８を介して載置し、被載置部１５を連結具１３により壁パネル１の載置片部５に連結したものであり、このように載置片部５と該載置片部５に載置した被載置部１５を連結具１３により上下方向に連結することで、廻し縁３６を設ける必要がなく、浴室内の見栄えが良くなる。
【０００４】
ここで、上記図３に示す接続構造では被載置部１５の上方から連結具１３を操作して天井パネル２の被載置部１５を壁パネル１の載置片部５に連結する必要があるが、例えば連結具１３が天井パネル２に設けられる点検口から離れた位置にある場合や、連結具１３の上方に梁等の建物躯体が存在する場合等には上記連結具１３による天井パネル２の被載置部１５を壁パネル１の載置片部５に連結する作業が行えない場合があり、施工環境や設計の違いにより図３に示す接続構造を採用できないことがある。
【特許文献１】特開平６−３３６７８６号公報
【発明の開示】
【発明が解決しようとする課題】
【０００５】
本発明は上記従来の問題点に鑑みてなされたものであって、浴室内の見栄えが良く且つ施工が容易であり、尚且つ施工環境や設計の違いにも対応できる浴室の壁パネルと天井パネルの接続構造を提供することを課題とするものである。
【課題を解決するための手段】
【０００６】
上記課題を解決するために本発明に係る浴室の壁パネルと天井パネルの接続構造は、矩形状の天井パネル２ａの三辺を対応する壁パネル１の上端部に接続した浴室の壁パネルと天井パネルの接続構造において、天井パネル２ａの前記壁パネル接続側の三辺の側縁部を夫々被載置部１５とし、各被載置部１５を対応する壁パネル１の上縁から背方に向けて突出した載置片部５上にパッキン１８を介して載置し、天井パネル２ａの前記壁パネル接続側の三辺のうち二辺を構成する被載置部１５を連結具１３により対応する壁パネル１（連結壁パネル１ａ）の載置片部５に連結すると共に、天井パネル２ａの壁パネル接続側の三辺のうち他の一辺を構成する側縁に垂設した垂下片部１９を対応する壁パネル１（係止壁パネル１ｂ）の載置片部５の室外側に配置し、該垂下片部１９の室内側に設けた被係止部２２を壁パネル１の背面の上端部に設けた係止部９に室外側から係止することを特徴とする。
【０００７】
このように天井パネル２ａの三辺に設けた被載置部１５を壁パネル１の上縁から背方に向けて突出した載置片部５上にパッキン１８を介して載置するので、従来のように廻し縁３６を設ける必要がない。また、天井パネル２ａの二辺の壁パネル１との接続は天井パネル２ａの被載置部１５と壁パネル１の載置片部５とを連結具１３により上下に連結することで行うので、天井パネル２ａの被載置部１５の上方から連結具１３により天井パネル２ａの被載置部１５を壁パネル１の載置片部５に連結でき、また、連結具１３を浴室内に露出しないようにできる。また、天井パネル２ａの他の一辺は垂下片部１９の室内側に設けた被係止部２２を壁パネル１の背面の上端部に設けた係止部９に室外側から係止することで対応する壁パネル１に接続できる。
【発明の効果】
【０００８】
請求項１に係る発明では、天井パネルの三辺に設けた被載置部を壁パネルの上縁から背方に向けて突出した載置片部にパッキンを介して載置するので、従来のように廻し縁を設ける必要がない。また、天井パネルの二辺の壁パネルとの接続は天井パネルの被載置部と壁パネルの載置片部とを連結具により上下に連結することで行うので、天井パネルの被載置部の上方から連結具により天井パネルの被載置部を壁パネルの載置片部に連結でき、また連結具を浴室内に露出しないようにできる。従って浴室内の見栄えが良くなる。また、天井パネルの他の一辺は垂下片部の室内側に設けた被係止部を壁パネルの背面の上端部に設けた係止部に室外側から係止することで対応する壁パネルに接続できる。このため天井パネルの壁パネル接続側の一辺を構成する被載置部が天井パネルに設けられる点検口から遠く離れた位置にある場合や、被載置部の上方に梁等の建物躯体がある場合等には、この一辺を壁パネルに接続する構造を上記被係止部及び係止部を用いて係止により接続する構造とすることで、壁パネルと連結でき、施工環境や設計の違いに広く対応できる。
【発明を実施するための最良の形態】
【０００９】
以下、本発明を添付図面に示す実施形態に基づいて説明する。本例の浴室を構成する浴室ユニットは四方の壁を壁パネル１で構成すると共に天井を天井パネル２で構成したものである。
【００１０】
まず、浴室の壁を構成する各壁パネル１について説明する。図２及び図３に示すように各壁パネル１は壁面を構成する樹脂板や金属板等からなる壁面板３を備えており、壁面板３の背面（室外側の面）には断熱材４を設けている。壁面板３の上縁は背方に屈曲し、壁面板３の上縁から背方に突出する載置片部５を形成している。断熱材４とこの上方に位置する載置片部５との間には空所６を形成してあり、空所６には長尺な金属板を折曲して形成した係止具７を配設している。係止具７は、背方に開口するコ字状片部８と、コ字状片部８の下側片部８ａの後端を上側で折り返して形成した上方に凸となる横向きく字状のく字状片部９ａで構成してあり、く字状片部９ａで係止部９を構成している。コ字状片部８の下側片部８ａ及び上側片部８ｂの後端同士を連結する前側片部８ｃの前面と、上側片部８ｂの上面は、壁面板３の上端部の背面と載置片部５の下面の夫々に沿わせており、この状態で係止具７は溶接等により壁面板３に固着してある。
【００１１】
図１に示すように浴室の天井は浴槽１０の上方に設置される天井パネル２ａと洗い場１１の上方に設置される天井パネル２ｂとの二枚の天井パネル２ａ、２ｂで構成してある。各天井パネル２ａ、２ｂは平面視長方形状に形成してあり、互いの長辺を隣接した状態で設置することで天井パネル２ａ、２ｂの短手方向に長い平面視長方形状の天井を形成する。つまり、各天井パネル２ａ、２ｂは他方の天井パネルに隣接する一辺を除く三辺が壁パネル接続側となるもので、これら壁パネル接続側の三辺の夫々が対応する壁パネル１の上端部に接続される。
【００１２】
図１乃至図４に示すように各天井パネル２ａ、２ｂは天井面を構成する樹脂板や金属板等からなる天井板１６を備えている。なお、天井板１６の上面には図２や図３に示すように断熱材１７を設けても良い。両天井パネル２ａ、２ｂのうち一方の天井パネル２ｂの天井板１６の中央には点検口１２を設けてあり、該点検口１２を通じて天井裏の保守・点検作業が行えるようになっている。ちなみに天井パネル２ａには点検口１２を設けていない。
【００１３】
各天井パネル２ａ、２ｂの壁パネル接続側の三辺を構成する側縁部は対応する壁パネル１の載置片部５上にパッキン１８を介して載置される被載置部１５としてある。また、各天井パネル２ａ、２ｂの壁パネル接続側の三辺を構成する側縁は下方に屈曲してあり、これにより垂下片部１９を垂設している。
【００１４】
ここで、両天井パネル２ａ、２ｂのうち、天井パネル２ｂは壁パネル接続側の三辺の夫々を図３に示すように連結具１３により対応する壁パネル１に接続する。また、天井パネル２ａは壁パネル接続側の三辺のうち対向する二辺の夫々を図３に示すように連結具１３により対応する壁パネル１に接続すると共に他の一辺（即ち天井パネル２ｂと反対側に位置する一辺）を図２に示すように被係止具１４を用いて対応する壁パネル１に係止する。即ち、点検口１２から最も離れた位置にある天井パネル２ａの一辺のみが被係止具１４を用いて壁パネル１に接続される。なお、以下の説明において特に区別する場合には、天井パネル２ａ、２ｂに連結具により連結される壁パネル１を連結壁パネル１ａと記載し、天井パネル２ａに被係止具１４により係止される壁パネル１を係止壁パネル１ｂと記載する。
【００１５】
図３及び図４に示すように連結具１３はねじ具２５とスペーサ２６により構成してある。ねじ具２５は天井パネル２ａ、２ｂに連結する前の各連結壁パネル１ａに予め取り付けられる。ねじ具２５の頭部２７の軸部２８側の半部（下半部）の外周面は軸部２８側程直径が短くなるテーパ面２９としてある。
【００１６】
ねじ具２５は頭部２７を上にした状態で各連結壁パネル１ａの上端部の幅方向の２箇所に載置片部５及び載置片部５に載置したパッキン１８を上下に貫通するように取り付けられる。具体的には、各ねじ具２５は連結壁パネル１ａの上方からその軸部２８を載置片部５上に長手方向に亘って載置したパッキン１８、載置片部５、係止具７に順にねじ込むことで取り付けてあり、この取り付け状態においては各ねじ具２５の頭部２７の下端はパッキン１８の上面に当接する。なお、天井パネル２ａ、２ｂの天井板１６の被載置部１５において各連結壁パネル１ａのねじ具２５に対応する箇所にはねじ具２５の頭部２７よりも大径の通し孔３５を穿設してある。
【００１７】
図３及び図４（ｂ）に示すようにスペーサ２６は金属板を断面Ｌ字状に折曲形成したものであり、連結壁パネル１ａの幅方向に長い長尺なものである。スペーサ２６の横片部３０の長手方向の２箇所には上下に貫通するねじ具挿通孔３１を穿設している。各ねじ具挿通孔３１は、頭部通過孔３２と、頭部通過孔３２の両側端部に接続した幅狭孔３３で構成してある。頭部通過孔３２はねじ具２５の頭部２７の最大直径（即ち図３のａで示す頭部２７の上半部の直径）よりも大径の円形の孔からなる。各幅狭孔３３は頭部通過孔３２からスペーサ２６の長手方向に伸び、その孔幅（図４（ｂ）のｃで示す寸法）はねじ具２５の頭部２７の最大直径よりも短く且つ最小直径（即ち図３のｂで示すテーパ面２９の軸部２８側端部の直径）よりも長い。スペーサ２６の利用については後述する。
【００１８】
図２に示すように被係止具１４は金属板を折曲して形成してあり、係止壁パネル１ｂの幅方向に長い長尺なものである。被係止具１４は天井パネル２ａの係止壁パネル１ｂ側の一辺を構成する側縁に垂設した垂下片部１９に取り付けてある。
【００１９】
被係止具１４は垂下片部１９の室内側の面に沿う縦片状の固着部２０と、垂下片部１９の下端と同レベルに位置する固着部２０の下端から前方（室内側）に突出する突出部２１とで構成してあり、固着部２０を垂下片部１９に固着することで垂下片部１９に取り付けてある。被係止具１４の固着部２０の垂下片部１９への固着は、ビス２３を室外側から垂下片部１９及び固着部２０に挿通し、該ビス２３の固着部２０の室内側に突出する軸部にナット２４を螺合することで行われる。突出部２１の先端部は上方に凸となる横向きく字状に屈曲されて弾性ばね片部２２ａを形成してあり、本例ではこの弾性ばね片部２２ａにより前述の係止壁パネル１ｂに設けたく字状片部９ａからなる係止部９に係止される被係止部２２を構成している。
【００２０】
上記各天井パネル２ａ、２ｂは図示しない床パンに立設した対応する壁パネル１に接続されるものであり、以下に天井パネル２ｂ及び天井パネル２ａの施工を順に説明する。
【００２１】
天井パネル２ｂは既述のように壁パネル接続側の三辺の夫々を図３に示すように連結具１３により対応する連結壁パネル１ａに接続するものである。その施工は、まず天井パネル２ｂの壁パネル接続側の三辺に夫々設けた被載置部１５を対応する連結壁パネル１ａの載置片部５上にパッキン１８を介して載置し、各垂下片部１９を連結壁パネル１ａの背面側（載置片部５よりも室外側）に位置させる。また、この時、各連結壁パネル１ａに取り付けたねじ具２５のパッキン１８より上方に突出した頭部２７を天井パネル２ｂの対応する通し孔３５に挿通し、各ねじ具２５の頭部２７を天井パネル２ｂの天井板１６よりも上方に突出させる。
【００２２】
次に図４（ｂ）に示すように各スペーサ２６の横片部３０を天井パネル２ｂの壁パネル接続側の三辺に設けた各被載置部１５上に載置する。この時、各連結壁パネル１ａから上方に突出した各ねじ具２５の頭部２７はスペーサ２６の対応するねじ具挿通孔３１の頭部通過孔３２を通過させる。次に上記各スペーサ２６を長手方向（即ち対応する連結壁パネル１ａの幅方向）にスライドし、各ねじ具２５の頭部２７を頭部通過孔３２からいずれか一方の幅狭孔３３に移動する。これにより各ねじ具２５の頭部２７のテーパ面２９は幅狭孔３３に嵌め込まれ、該頭部２７のテーパ面２９と下方の載置片部５とでパッキン１８、被載置部１５、スペーサ２６の幅狭孔３３の両側縁部が挟持され、この結果、天井パネル２ｂは各連結壁パネル１ａに連結される。なお、本例では頭部通過孔３２の両側に幅狭孔３３を設けることで、スペーサ２６を長手方向の２方向のうちいずれの方向に移動した場合にも連結壁パネル１ａを連結できるようにしたものであるが、幅狭孔３３は頭部通過孔３２の一方側にのみ設けても良いものとする。
【００２３】
また、天井パネル２ａは既述のように壁パネル接続側の三辺のうち二辺を図３に示すように連結具１３により対応する連結壁パネル１ａに接続すると共に他の一辺を図２に示すように被係止具１４を用いて係止壁パネル１ｂに係止するものである。その施工は、まず、天井パネル２ａの係止壁パネル接続側に設けた係止具７の弾性ばね片部２２ａを係止壁パネル１ｂに設けたく字状片部９ａに弾性係止し、この後、天井パネル２ａの壁パネル接続側の三辺に夫々設けた被載置部１５を対応する連結壁パネル１ａ及び係止壁パネル１ｂの載置片部５上にパッキン１８を介して載置する。
【００２４】
ここで弾性ばね片部２２ａをく字状片部９ａに係止するには、図５に示すように天井パネル２ａを正規の設置位置よりも係止壁パネル１ｂ側に少しずらした位置に配置して、被係止具１４を係止壁パネル１ｂの上端部の背面側に位置させ、この位置から天井パネル２ａを室内側に移動し、これにより弾性ばね片部２２ａを係止壁パネル１ｂの室外側からく字状片部９ａに係止する。また、上記天井パネル２ａの被載置部１５を対応する連結壁パネル１ａ及び係止壁パネル１ｂの載置片部５上に載置する時には、上記天井パネル２ｂの施工時と同様に、各連結壁パネル１ａに取り付けたねじ具２５のパッキン１８より上方に突出した頭部２７を天井パネル２ａの対応する通し孔３５に挿通し、各ねじ具２５の頭部２７を天井パネル２ａの天井板１６よりも上方に突出させる。
【００２５】
そして上記のように天井パネル２ａを各連結壁パネル１ａ及び係止壁パネル１ｂに載置した後、該天井パネル２ａの係止壁パネル１ｂに係止されていない残りの二辺を連結具１３により対応する連結壁パネル１ａに連結する。なお、この天井パネル２ａの連結具１３による連結壁パネル１ａへの連結は上記天井パネル２ｂの場合と同様であるので説明は省略する。
【００２６】
上記天井パネルと壁パネルの接続構造にあっては、天井パネル２ｂの三辺の被載置部１５及び天井パネル２ａの三辺の被載置部１５を壁パネル１の上縁から背方に向けて突出した載置片部５上にパッキン１８を介して載置するので、従来のように廻し縁３６を設ける必要がなく浴室内の見栄えが良くなる。また、天井パネル２ｂの三辺と天井パネル２ａの二辺の壁パネル１（連結壁パネル１ａ）との接続は天井パネル２ａ、２ｂの被載置部１５と壁パネル１の載置片部５とを連結具１３により上下に連結することで行うものである。従って本例のように天井パネル２ａ、２ｂの被載置部１５の上方から連結具１３により天井パネル２ａ、２ｂの被載置部１５を壁パネル１の載置片部５に連結でき、また、連結具１３を浴室内に露出しないようにできる。また、天井パネル２ａの他の一辺は垂下片部１９の室内側に設けた被係止部２２を壁パネル１（係止壁パネル１ｂ）の背面の上端部に設けた係止部９に室外側から係止することで対応する壁パネル１（係止壁パネル１ｂ）に接続できる。このため本例のように天井パネル２ｂの壁パネル接続側の一辺を構成する被載置部１５が天井パネル２に設けられる点検口２０から遠く離れた位置にある場合や、被載置部１５の上方に梁等の建物躯体がある場合等には、この一辺を壁パネル１に接続する構造を上記被係止部２２及び係止部９を用いて係止により接続する構造とすることができ、施工環境や設計の違いに広く対応できる。
【００２７】
なお、本例では連結具１３を既述のねじ具２５とスペーサ２６により構成したが、連結具１３はこれに限定されるものではなく、例えば連結具１３を天井パネル２ａ、２ｂの上方から、被載置部１５及びパッキン１８を挿通して壁パネル１の上端部にねじ込むねじ具により構成する等しても良い。また、天井パネル２ａの壁パネル接続側の三辺のうち点検口１２から最も離れた一辺を被係止部２２及び係止部９を用いて係止により壁パネル１に接続するようにしたが、天井パネル２の被係止部２２及び係止部９を用いて係止により壁パネル１に接続する辺は天井パネル２ａの他の辺であっても良いし、天井パネル２ｂの他の辺であっても良い。
【図面の簡単な説明】
【００２８】
【図１】本発明の実施の形態の一例を示すものであり、浴室ユニットの平面図である。
【図２】図１のＡ−Ａ断面図である。
【図３】図１のＢ−Ｂ断面図である。
【図４】（ａ）は連結壁パネル、ねじ具、天井パネルの分解斜視図であり、（ｂ）は連結壁パネルに天井パネル及びスペーサを載置した状態を示す斜視図である。
【図５】同上の係止壁パネルの係止部に天井パネルの被係止部を係止する前の状態を示す斜視図である。
【図６】従来の壁パネルと天井パネルの接続構造を示す斜視図である。
【符号の説明】
【００２９】
１  壁パネル
１ａ  連結壁パネル
２ｂ  天井パネル
５  載置片部
９  係止部
１３  連結具
１５  被載置部
１８  パッキン
１９  垂下片部
２２  被係止部
２５  ねじ具
２６  スペーサ
２７  頭部
３１  ねじ具挿通孔
【図１】
0004989430.tif 000002
【図２】
0004989430.tif 000003
【図３】
0004989430.tif 000004
【図４】
0004989430.tif 000005
【図５】
0004989430.tif 000006
【図６】
0004989430.tif 000007